(57)【特許請求の範囲】
【請求項１】
所定温度範囲内で室内温度の上昇及び下降動作を反復することによって、前記室内温度が上昇する時には前記室内温度が、人体が感じる温感覚に基づいた温感覚上限制御曲線以下になるように圧縮機を制御し、前記室内温度が下降する時には前記室内温度が、人体が感じる冷感覚に基づいた冷感覚下限制御曲線以上になるように圧縮機を制御して室内温度を制御する空気調和機の運転制御方法において、
冷房時には、使用者により設定された冷房時の所望温度を基準にしてマイクロコンピュータにより演算された前記温感覚上限制御曲線上の温度に室内温度が達した時点で圧縮機がオンし、次に、該圧縮機がオンした時点の室内温度に基づいてマイクロコンピュータにより演算された前記冷感覚下限制御曲線上の温度に室内温度が達した時点で圧縮機がオフするように制御する空気調和機の運転制御方法であって、
前記の冷房時の室内温度の制御は、冷房開始時に前記使用者の所望温度から所定値を減算した温度を前記圧縮機のオフ時点の温度に設定して、該オフ時点の温度に到達するまで前記圧縮機を駆動する段階と、
前記室内温度が前記圧縮機のオフ時点の温度に到達すると、前記使用者の所望温度に所定値を加算した温度を前記圧縮機のオン時点の温度に設定して、該オン時点の温度に到達するまで前記圧縮機を停止する段階と、
前記室内温度が前記圧縮機のオン時点の温度に到達すると、該圧縮機のオン時点の温度から所定温度を減算した温度を次のオフ時点の温度に設定して、該オフ時点の温度に到達するまで前記圧縮機を駆動する段階と、を順次行い、
暖房時には、使用者により設定された暖房時の所望温度を基準にしてマイクロコンピュータにより演算された前記温感覚上限制御曲線上の温度に室内温度が達した時点で圧縮機がオフし、次に、前記暖房時の所望温度に基づいてマイクロコンピュータにより演算された前記冷感覚下限制御曲線上の温度に室内温度が達した時点で圧縮機がオンするように制御して、室内温度を制御することを特徴とする空気調和機の運転制御方法。
【請求項２】
前記温感覚上限制御曲線及び冷感覚下限制御曲線は、前記使用者の所望温度を基準に冷房時には上昇し、暖房時には下降することを特徴とする請求項1に記載の空気調和機の運転制御方法。
【請求項３】
前記圧縮機は、所定時間が経過すると、前記温感覚上限制御曲線及び前記冷感覚下限制御曲線がそれぞれ一定に維持されるように制御されることを特徴とする請求項1または2に記載の空気調和機の運転制御方法。
【請求項４】
前記圧縮機は、運転開始から所定時間が経過すると、前記圧縮機のオフ時点の温度及びオン時点の温度を一定に固定させて、該圧縮機のオフ時点の温度及びオン時点の温度により前記圧縮機を制御することを特徴とする請求項1に記載の空気調和機の運転制御方法。
【請求項５】
前記暖房時の室内温度の制御は、前記使用者の所望温度に第１の所定値を加算した温度を前記圧縮機の第１のオフ時点の温度に設定して、該第１のオフ時点の温度に到達するまで前記圧縮機を駆動する段階と、
前記室内温度が前記圧縮機の前記第１のオフ時点の温度に到達すると、前記所望温度を前記圧縮機の第１のオン時点の温度に設定して、該第１のオン時点の温度に到達するまで前記圧縮機を停止する段階と、
前記室内温度が前記圧縮機の前記第１のオン時点の温度に到達すると、前記所望温度に第２の所定値を加算した温度を前記圧縮機の第２のオフ時点の温度に設定して、該第２のオフ時点の温度に到達するまで前記圧縮機を駆動する段階と、
前記室内温度が前記圧縮機の前記第２のオフ時点の温度に到達すると、前記所望温度から第３の所定値を減算した温度を前記圧縮機の第２のオン時点の温度に設定して、該第２のオン時点の温度に到達するまで前記圧縮機を停止する段階と、
前記室内温度が前記圧縮機の前記第２のオン時点に到達すると、前記所望温度を第３のオフ時点の温度に設定して、該第３のオフ時点の温度に到達するまで前記圧縮機を駆動する段階と、
前記室内温度が前記圧縮機の前記第３のオフ時点の温度に到達すると、前記所望温度から第４の所定値を減算した温度を前記圧縮機の第３のオン時点の温度に設定して、該第３のオン時点の温度に到達するまで前記圧縮機を停止する段階と、
前記室内温度が前記圧縮機の前記第３のオン時点の温度に到達すると、前記所望温度を第４のオフ時点の温度に設定して、該第４のオフ時点の温度に到達するまで前記圧縮機を駆動する段階と、を順次行うことを特徴とする請求項1に記載の空気調和機の運転制御方法。
【請求項６】
前記圧縮機は、運転開始から所定時間が経過すると、前記圧縮機のオフ時点の温度及びオン時点の温度を一定に固定させて、該圧縮機のオフ時点の温度及びオン時点の温度により前記圧縮機を制御することを特徴とする請求項5に記載の空気調和機の運転制御方法。
【請求項７】
前記圧縮機は、駆動初期には前記所望温度を基準に冷房運転時は上昇曲線を有し、暖房運転時は下降曲線を有する前記の温感覚上限制御曲線及び冷感覚下限制御曲線により圧縮機のオン時点及びオフ時点を制御し、運転開始から所定時間経過後には圧縮機のオン時点の温度及びオフ時点の温度がそれぞれ所定値で繰返されるような室内温度値を有するように制御することを特徴とする請求項1に記載の空気調和機の運転制御方法。
【請求項８】
前記圧縮機は、メモリに格納された前記温感覚上限制御曲線又は前記冷感覚下限制御曲線のデータを利用して圧縮機のオン時点又はオフ時点を制御することを特徴とする請求項1に記載の空気調和機の運転制御方法。
【請求項９】
前記温感覚上限制御曲線は、人体が感じる温感覚を検出してマイクロコンピュータによって演算されることを特徴とする請求項1に記載の空気調和機の運転制御方法。
【請求項１０】
上記冷感覚下限制御曲線は、人体が感じる冷感覚を検出してマイクロコンピュータによって演算されることを特徴とする請求項1に記載の空気調和機の運転制御方法。
【請求項１１】
所定温度範囲内で室内温度の上昇と下降とを反復させて前記室内温度を調節する空気調和機の運転制御装置において、
使用者の所望温度を設定する入力部と、
前記の設定された使用者の所望温度を基準に、人体が感じる温感覚に基づいた温感覚上限制御曲線及び人体が感じる冷感覚に基づいた冷感覚下限制御曲線を演算して、該温感覚上限制御曲線又は冷感覚下限制御曲線上の圧縮機のオン時点の温度とオフ時点の温度の間で室内温度を制御するマイクロコンピュータであって、
冷房時には、使用者により設定された冷房時の所望温度を基準にして演算された前記温感覚上限制御曲線上の温度に室内温度が達した時点で圧縮機がオンし、次に、該圧縮機がオンした時点の室内温度に基づいて演算された前記冷感覚下限制御曲線上の温度に室内温度が達した時点で圧縮機がオフするように制御し、ここで、
前記の冷房時の室内温度の制御は、冷房開始時に前記使用者の所望温度から所定値を減算した温度を前記圧縮機のオフ時点の温度に設定して、該オフ時点の温度に到達するまで前記圧縮機を駆動する段階と、
前記室内温度が前記圧縮機のオフ時点の温度に到達すると、前記使用者の所望温度に所定値を加算した温度を前記圧縮機のオン時点の温度に設定して、該オン時点の温度に到達するまで前記圧縮機を停止する段階と、
前記室内温度が前記圧縮機のオン時点の温度に到達すると、該圧縮機のオン時点の温度から所定温度を減算した温度を次のオフ時点の温度に設定して、該オフ時点の温度に到達するまで前記圧縮機を駆動する段階と、を順次行い、
暖房時には、使用者により設定された暖房時の所望温度を基準にして演算された前記温感覚上限制御曲線上の温度に室内温度が達した時点で圧縮機がオフし、次に、前記暖房時の所望温度に基づいて演算された前記冷感覚下限制御曲線上の温度に室内温度が達した時点で圧縮機がオンするように制御し、ここで、
前記暖房時の室内温度の制御は、前記使用者の所望温度に第１の所定値を加算した温度を前記圧縮機の第１のオフ時点の温度に設定して、該第１のオフ時点の温度に到達するまで前記圧縮機を駆動する段階と、
前記室内温度が前記圧縮機の前記第１のオフ時点の温度に到達すると、前記所望温度を前記圧縮機の第１のオン時点の温度に設定して、該第１のオン時点の温度に到達するまで前記圧縮機を停止する段階と、
前記室内温度が前記圧縮機の前記第１のオン時点の温度に到達すると、前記所望温度に第２の所定値を加算した温度を前記圧縮機の第２のオフ時点の温度に設定して、該第２のオフ時点の温度に到達するまで前記圧縮機を駆動する段階と、
前記室内温度が前記圧縮機の前記第２のオフ時点の温度に到達すると、前記所望温度から第３の所定値を減算した温度を前記圧縮機の第２のオン時点の温度に設定して、該第２のオン時点の温度に到達するまで前記圧縮機を停止する段階と、
前記室内温度が前記圧縮機の前記第２のオン時点に到達すると、前記所望温度を第３のオフ時点の温度に設定して、該第３のオフ時点の温度に到達するまで前記圧縮機を駆動する段階と、
前記室内温度が前記圧縮機の前記第３のオフ時点の温度に到達すると、前記所望温度から第４の所定値を減算した温度を前記圧縮機の第３のオン時点の温度に設定して、該第３のオン時点の温度に到達するまで前記圧縮機を停止する段階と、
前記室内温度が前記圧縮機の前記第３のオン時点の温度に到達すると、前記所望温度を第４のオフ時点の温度に設定して、該第４のオフ時点の温度に到達するまで前記圧縮機を駆動する段階と、を順次行うマイクロコンピュータと、を包含して構成されることを特徴とする空気調和機の運転制御装置。
【請求項１２】
前記圧縮機のオン時点の温度及びオフ時点の温度のデータを格納するメモリが追加して包含されることを特徴とする請求項11に記載の空気調和機の運転制御装置。
【請求項１３】
前記圧縮機は、運転のオン動作及びオフ動作のみを有する定速型圧縮機、又は負荷の変動によって運転周波数の可変動作を行うインバータ型圧縮機であることを特徴とする請求項11に記載の空気調和機の運転制御装置。
【請求項１４】
前記マイクロコンピュータは、前記圧縮機の駆動初期には前記使用者の所望温度を基準に前記温感覚上限制御曲線及び冷感覚下限制御曲線を、冷房時には上昇し、暖房時には下降するように演算して、圧縮機のオン時点及びオフ時点を制御し、運転開始から所定時間経過後には所定室内温度で一定になるように前記圧縮機のオン時点及びオフ時点を制御することを特徴とする請求項11に記載の空気調和機の運転制御装置。
【発明の詳細な説明】
【０００１】
【発明の属する技術分野】
本発明は、空気調和機に係るもので、詳しくは、温熱感及び快適感を増大し得る空気調和機の運転制御装置及びその方法に関したのもである。
【０００２】
【従来の技術】
一般に、空気調和機は、室内の暖かい空気を冷却して室内に供給する冷房装置と室内の冷たい空気を暖かくして室内に供給する暖房装置とに大別される。
【０００３】
最近は、上記の冷房機能及び暖房機能だけでなく除湿機能を包含した空気調和機が開発されて市販されてある。
【０００４】
従来の空気調和機は、図7に示したように、室内熱交換器13から吐き出される低温及び低圧の冷媒蒸気を吸入して圧縮することによって、高温及び高圧の蒸気を作る圧縮機11と、圧縮機11から吐き出された高温及び高圧の冷媒蒸気の熱を空気中に放出させて、高圧の飽和液体に変化させる室外熱交換器12と、室外熱交換器12から吐き出された高圧の飽和液体を膨脹装置16によって低温及び低圧の冷媒として吸入して蒸発させることによって液体成分のない飽和蒸気を作る室内熱交換器13と、暖房モード又は冷房モードに従って、上記の冷媒の流動を調節する四方弁20と、定温除湿の際に高圧の冷媒をそのまま室内熱交換器13に吐き出させる二方弁21と、を包含して構成されていた。
【０００５】
また、室内熱交換器13は、高圧の液体とガスとが混合された冷媒を吸入して熱を放出させることによって高圧の液体を吐き出す第1熱交換器14と、第1熱交換器14の高圧の液体を低圧の液体に減圧する膨脹装置17と、膨脹装置17によって低圧の液体とガスとが混合された冷媒を吸入して蒸発させることによって液体成分のない低温/低圧の冷媒を吐き出す第2熱交換器15と、第1熱交換器14から吐き出される高圧の液体が直接第2熱交換器15に吐き出されることを遮断する二方弁22と、を包含して構成されていた。
【０００６】
以下、このように構成された従来の空気調和機の動作について説明する。
【０００７】
先ず、暖房モードで空気調和機を運転する場合には、圧縮機11で圧縮された高温高圧の冷媒は、四方弁20を通って室内熱交換器13に流入して凝縮された後に、膨脹装置16を通りながら低温低圧の冷媒になる。このとき、室内ファン19により吸入された室内空気が室内熱交換器13の表面を通過しながら熱交換されて暖かい空気が室内に噴出されることによって、室内の温度が上昇する。また、室内熱交換器13は、第1熱交換器14と第2熱交換器15の間の二方弁22をオープンにして室内熱交換器13を凝縮機として動作させる。
【０００８】
次いで、室外熱交換器12は、上記の低温低圧の冷媒を吸入して蒸発させることによって気体状態の冷媒を吐き出し、圧縮機11は、室外熱交換器12から吐き出される気体状態の冷媒を吸入して高温高圧の冷媒に圧縮するが、このような動作を反復遂行することによって暖房運転が遂行される。
【０００９】
また、冷房モードで空気調和機を運転する場合には、圧縮機11で圧縮された高温高圧の冷媒は、四方弁20を通って室外交換機12に流入して凝縮された後に膨脹装置16を通りながら低温低圧の冷媒になる。
【００１０】
次いで、室内熱交換器13に上記の低温低圧の冷媒が吸入されて蒸発することによって気体状態の冷媒を吐き出し、この吐き出された気体状態の冷媒は圧縮機11に吸入されて再び高温高圧の冷媒に圧縮される。このとき、室内熱交換器13は、第1熱交換器14と第2熱交換器15の間の二方弁22をオープンにして蒸発器として動作する。また、室内ファン19により吸入された室内空気が室内熱交換器13の冷却された表面を通過しながら熱交換されることによって冷たい空気が室内に噴出されて、室内の温度が降下する。
【００１１】
一方、除湿モードで空気調和機を運転する場合には、圧縮機11で圧縮された高温高圧の冷媒は、四方弁20を通って室外熱交換器12に流入する。このとき、室外ファン18は低速で回転するので、室外熱交換器12を通過する高温高圧の冷媒は殆ど冷却されない状態で二方弁21通って室内熱交換器13に流入する。
【００１２】
次いで、室内熱交換器13は、内部の二方弁22を遮断することによって第1熱交換器14と第2熱交換器15とが分離して動作するようにされる。即ち、第1熱交換器14は、高圧の液体とガスとが混合された冷気を吸入して熱を放出することによって高圧の液体を吐き出し、この吐き出される高圧の液体は膨脹装置17を通って低圧の液体にされて第2熱交換器15に吸入されて蒸発し、これによって液体成分のない低温/低圧の冷媒として吐き出される。このとき、室内ファン19により吸入された室内空気が第2熱交換器15の冷却された表面を通過しながら熱交換されて湿気が除去された後に、この湿気が除去された乾燥空気は、第1熱交換器14の熱くなった表面を通過しながら加熱されて室内に噴出される。
【００１３】
このような従来の空気調和機は、使用者が最初に所望温度を設定すると、図２（冷房時）、図３（暖房時）の所望温度の近辺で三角波状に変化する波形で示したように、この所望温度近辺の所定温度範囲内で圧縮機11がオン/オフされて冷気又は暖気を供給若しくは遮断することによって、室内温度は、常に、所望温度範囲内の室内温度に維持されていた。
【００１４】
例えば、所望温度に0.5度(℃)を加算した温度が圧縮機がオンする時点の温度であって、所望温度から0.5度(℃)を減算した温度がオフする時点の温度であると、このオンする時点とオフする時点の温度の範囲内で室内温度が維持されるようになっていた。
【００１５】
【発明が解決しようとする課題】
然るに、このような従来の空気調和機の場合、運転初期の時点では、寒さを感じる人体の冷感覚が暖かさを感じる温感覚に比べて大きいが、時間が経過するにつれて、冷たく感じる冷感覚が温かく感じる温感覚に比べて小さくなるために、従来のように、使用者の所望温度を基準に所定範囲で室内温度を制御すると、時間が経過するほど使用者は快適感よりは寒く感じるようになる。即ち、冷房しようとする所望温度の附近で圧縮機を運転すると、初めは快適感を感じるが、所定時間が経過するほど初めに使用者が感じた快適感よりはむしろ寒いと感じて、使用者の快適感が減少するという不都合な点があった。
【００１６】
本発明は、このような従来の課題に鑑みてなされたもので、室内温度の下降時には室内温度が人体の冷感覚以上になるように圧縮機の運転周波数を制御して、室内温度の上昇時には室内温度が人体の温感覚以下になるように圧縮機の運転周波数を制御し得る空気調和機の運転制御装置及びその方法を提供することを目的とする。
【００１７】
又、全体的な室内温度を漸次、上昇又は下降させて人体の皮膚温度が急激に下降又は上昇することを防止し得る空気調和機の運転制御装置及びその方法を提供することを目的とする。
【００１８】
【課題を解決するための手段】
このような目的を達成するため、本発明に係る空気調和機の運転制御装置においては、室内温度が上昇する時に室内温度が温感覚の上限制御曲線以下になるように圧縮機を制御し、室内温度が下降する時には室内温度が冷感覚の下限制御曲線以上になるように圧縮機を制御して室内温度を制御することを特徴とする。
【００１９】
又、本発明に係る空気調和機の運転制御装置は、使用者の所望温度を設定する入力部と、前記設定された所望温度を基準に温感覚上限制御曲線又は冷感覚下限制御曲線上の圧縮機のオン時点の温度及びオフ時点の温度を演算して、該演算されたオン時点とオフ時点の温度の間の範囲内で室内温度を制御するマイクロコンピュータと、を包含して構成されることを特徴とする。
【００２０】
【発明の実施の形態】
以下、本発明の実施の形態について図面を用いて説明する。
【００２１】
本発明に係る空気調和機の運転制御装置は、図1に示したように、使用者の所望温度を設定する入力部30と、この設定された所望温度を基準に温感覚上限制御曲線又は冷感覚下限制御曲線を演算して、この温感覚上限制御曲線又は冷感覚下限制御曲線上の圧縮機33がオンする時点及びオフする時点の温度の間の範囲内で室内温度を制御するマイクロコンピュータ31と、圧縮機33がオンする時点及びオフする時点の温度のデータを格納するメモリ32と、を包含して構成されることによって、冷房又は暖房のための室内温度を制御する。
【００２２】
このとき、上記の温感覚上限制御曲線は、人体の温感覚を検出してマイクロコンピュータ31により演算して検出され、上記の冷感覚上限制御曲線は、人体の冷感覚を検出してマイクロコンピュータ31により演算して検出される。又、圧縮機33は、運転のオン動作及びオフ動作のみを有する定速型圧縮機又は負荷変動によって運転周波数の可変動作を行うインバータ型圧縮機を使用する。
【００２３】
以下、このように構成された本発明に係る空気調和機の運転制御装置の動作について説明する。
【００２４】
一般の冷房サイクル又は暖房サイクルは従来と同様であるので省略する。
【００２５】
本発明に係る空気調和機の運転制御装置の動作においては、使用者が設定した所望温度を基準に全体的な室内温度を漸次、増加させるか又は減少させて人体の皮膚温度が急激に変化することを防止する。このために、室内温度上昇時には人体の温感覚以下になるように室内温度を制御して、室内温度下降時には人体の冷感覚以上に室内温度を制御することによって、常に快適感を維持する。
【００２６】
より詳しく説明すると、先ず、使用者が所望温度を設定して、マイクロコンピュータ31は温感覚上限制御曲線及び冷感覚下限制御曲線を演算する。
【００２７】
次いで、室内温度が上昇すると、この室内温度が温感覚上限制御曲線以下になるように圧縮機33を制御し、また室内温度が下降すると、この室内温度が冷感覚下限制御曲線以上になるように圧縮機33を制御することによって、上記の温感覚上限制御曲線と冷感覚下限制御曲線の間で空気調和機を運転する。このとき、冷房時には圧縮機33は、上記の温感覚上限制御曲線上で圧縮機33をオンさせ、上記の冷感覚下限制御曲線上で圧縮機33をオフさせる。また、圧縮機33がオフする時点の室内温度（以下圧縮機33のオフ時点の温度と称する）は、圧縮機33がオンする時点の室内温度（以下圧縮機33のオン時点の温度と称する）を基準にマイクロコンピュータ31で演算されてメモリに格納される。又、暖房時には圧縮機33は、上記の温感覚上限制御曲線上で圧縮機33をオフさせて、上記の冷感覚下限制御曲線上で圧縮機33をオンさせる。
【００２８】
即ち、図2及び図3に示したように、圧縮機33の駆動初期には、上記の温感覚上限制御曲線及び冷感覚下限制御曲線は上記の所望温度を基準として、冷房時には上昇曲線になり、暖房時には下降曲線になる。しかし、所定時間が経過すると、上記の温感覚上限制御曲線と冷感覚下限制御曲線は所定値が維持されるように、圧縮機33の運転周波数を制御する。このとき、上記の温感覚上限制御曲線と冷感覚下限制御曲線上の上限点及び下限点は、圧縮機33のオン時点又はオフ時点を表すように、所望温度によって多様に設定される。
【００２９】
本発明による冷房時の空気調和機の運転制御方法においては、図2に示したように、圧縮機33のオン（ON）時点の温度は、初期の所望温度を基準に次第に上昇し、圧縮機33のオフ（OFF）時点の温度は運転中の上記のオン時点の温度を基準に演算される。即ち、時間が経過するほど温感覚上限制御曲線上の上限点は初期の所望温度を基準に上昇し、冷感覚下限制御曲線上の下限点は既に制御された上記の上限点を基準に演算されて空気調和機の冷房運転が制御される。
【００３０】
また、本発明による暖房時の空気調和機の運転制御方法においては、図3に示したように、圧縮機33のオン時点の温度は初期の所望温度を基準に次第に下降し、圧縮機33のオフ時点の温度は所望温度を基準に演算される。即ち、時間が経過するほど冷感覚下限制御曲線上の下限点は初期の所望温度を基準に下降し、温感覚上限制御曲線上の上限点は所望温度を基準に演算されて空気調和機の暖房運転が制御される。
【００３１】
また、本発明による冷房時の空気調和機の運転制御方法では、図4に示したように、使用者によって冷房時の所望温度が設定されると、この所望温度を基準に時間の経過によって圧縮機のオン時点及びオフ時点の温度が変えられる。次いで、このオン時点／オフ時点の温度に到達した時点で圧縮機33がオン/オフされて冷気を供給又は遮断する動作が反復して遂行される。
【００３２】
即ち、空調が開始されると、所望温度から0.5度減算した温度が圧縮機33のオフ時点の温度に設定されて、このオフ時点の温度に到達するまで圧縮機が駆動される。次いで、この圧縮機33のオフ時点の温度に到達すると、所望温度に0.5度加算された温度が次の圧縮機33のオン時点の温度に設定されて、このオン時点の温度に到達するまで圧縮機33が停止される。次いで、圧縮機33のオン時点の温度に到達すると、圧縮機33のこのオン時点の温度(所望温度+0.5度)から0.5度を減算した温度が次のオフ時点の温度に設定されて、このオフ時点の温度に到達するまで圧縮機33が駆動される。次いで、この圧縮機33のオフ時点の温度に到達すると、所望温度に0.8度加算された温度が次の圧縮機33のオン時点の温度に設定されて、このオン時点の温度に到達するまで圧縮機33が停止される。次いで、この圧縮機33のオン時点の温度に到達すると、この圧縮機33のオン時点の温度(所望温度+0.8度)から0.4度が減算された温度が次のオフ時点の温度に設定されて、このオフ時点の温度に到達するまで圧縮機33が駆動される。次いで、この圧縮機33のオフ時点の温度に到達すると、所望温度に1.5度が加算された温度が次の圧縮機33のオン時点の温度に設定されて、このオン時点の温度に到達するまで圧縮機33が停止される。次いで、この圧縮機33のオン時点の温度に到達すると、次の圧縮機33のオフ時点の温度が設定されて、このオフ時点の温度に到達するまで圧縮機33が駆動される。
【００３３】
このとき、空調開始から所定時間が経過すると、所定値に圧縮機33のオン、オフ時点の温度を固定させて、図示の場合は以前の圧縮機のオフ時点の温度(所望温度+0.8度-0.4度)及び圧縮機のオン時点の温度(所望温度+1.5度)になるように、圧縮機33の運転周波数が制御されて室内温度が調節される。
【００３４】
即ち、時間が経過するほど圧縮機33のオン時点の温度を初期の所望温度を基準に次第に上昇させて、圧縮機33のオフ時点の温度はその前に運転制御された圧縮機33のオン時点の温度を基準に演算されて制御される。結局、時間が経過するほど室内温度の上限値は初期の所望温度を基準に上昇し、室内温度下限値はその前に運転制御された室内温度上限値を基準に演算されて空気調和機の運転が制御される。
【００３５】
本発明及び従来の空気調和機の運転中の平均皮膚感覚温度は、図5（A）及び図5（B）に示したように、従来の場合には、所定時間の間空気調和機を駆動した後は平均皮膚感覚温度が32℃で寒冷感を感じることで不快感を感じるが、本発明に係る空気調和機の駆動時には、平均皮膚感覚温度が33.5℃で快適感を感じる。
【００３６】
本発明による暖房時の空気調和機の運転制御方法に対する動作においては、図6に示したように、使用者によって暖房時の所望温度が設定されると、この所望温度を基準に時間の経過によって圧縮機33のオン時点及びオフ時点の温度が変えられる。次いで、上記のオン時点／オフ時点の温度に到達した時点で圧縮機33がオン/オフされて暖気を供給又は遮断する動作が反復して遂行される。
【００３７】
即ち、空調が開始されると先ず、所望温度に1.0℃加算した温度を圧縮機33のオフ時点の温度に設定して、このオフ時点の温度に到達するまで圧縮機33が駆動される。次いで、この圧縮機33のオフ時点の温度に到達すると、所望温度を次の圧縮機33のオン時点の温度に設定して、このオン時点の温度に到達するまで圧縮機33を停止する。次いで、この圧縮機33のオン時点の温度に到達すると、所望温度に0.5℃加算した温度を次の圧縮機33のオフ時点の温度に設定して、このオフ時点の温度に到達するまで圧縮機33を駆動する。次いで、この圧縮機33のオフ時点の温度に到達すると、所望温度から0.8℃減算した温度を次の圧縮機33のオン時点の温度に設定して、このオン時点の温度に到達するまで圧縮機33を停止する。次いで、この圧縮機33のオン時点の温度に到達すると、所望温度を次のオフ時点の温度に設定して、このオフ時点に到達するまで圧縮機33を駆動する。次いで、この圧縮機33のオフ時点の温度に到達すると、所望温度から1.5℃を減算した温度を次の圧縮機33のオン時点の温度に設定して、このオン時点に到達するまで圧縮機33を停止する。次いで、この圧縮機33のオン時点の温度に到達すると、所望温度を次のオフ時点の温度に設定して、このオフ時点に到達するまで圧縮機33を駆動する。このとき、空調開始から所定時間が経過すると、所定値に圧縮機のオン、オフ時点の温度を固定させて、図示の場合はその前の圧縮機のオフ時点の温度(所望温度)及び圧縮機のオン時点の温度(所望温度-1.5度)になるように、圧縮機33の運転周波数を制御して室内温度を調節する。
【００３８】
即ち、時間が経過するほど圧縮機33のオン時点の温度は初期の所望温度を基準次第に下降させ、圧縮機33のオフ時点の温度は所望温度を基準に演算して、時間が経過するほど室内温度の下限値を下降させて、空気調和機の暖房運転を制御する。
【００３９】
【発明の効果】
以上説明したように、本発明に係る空気調和機の運転制御装置においては、全体的な室内温度を漸次変化させて、人体の皮膚感覚温度が急激に変化することを防止するために、室内温度下降時には人体の冷感覚以上の温度に室内温度を制御し、室内温度上昇時には人体の温感覚以下の温度になるように室内温度を制御することによって、快適感を向上し得ると同時に健康に役立つようにし得るという効果がある。
【図面の簡単な説明】
【図１】本発明に係る空気調和機の運転制御装置の構成を示したブロック図である。
【図２】本発明に係る冷房時の空気調和機の運転制御方法を説明するための波形図である。
【図３】本発明に係る暖房時の空気調和機の運転制御方法を説明するための波形図である。
【図４】本発明に係る冷房時の空気調和機の運転制御方法を示したフローチャートである。
【図５】（A）、（B)は本発明及び従来の空気調和機の運転時の平均皮膚感覚温度を示した図で、（A)は本発明の場合の表示図、（B）は従来の場合の表示図である。
【図６】本発明に係る暖房時の空気調和機の運転制御方法を示したフローチャートである。
【図７】従来空気調和機の構成を示したブロック図である。
【符号の説明】
11、33…圧縮機
12…室外熱交換器
13…室内熱交換器
14…第1熱交換器
15…第2熱交換器
16、17…膨脹装置
18…室外ファン
19…室内ファン
20、21、22…弁
30…入力部
31…マイクロコンピュータ
32…メモリ
【図１】
0003756854.tif 000002
【図２】
0003756854.tif 000003
【図３】
0003756854.tif 000004
【図４】
0003756854.tif 000005
【図５】
0003756854.tif 000006
【図６】
0003756854.tif 000007
【図７】
0003756854.tif 000008